(57)【要約】【課題】特に使用していないソケットを自動的に封止することにより、挿入孔内への塵埃の侵入を防止する防塵ソケット組を提供する。【解決手段】内部に導電部材が設けられる絶縁カバーを備え、絶縁カバー上に導電部材と対応する挿入孔及び挿入孔の外側と対応する円形の位置決め溝が形成され、この位置決め溝内に、枢設部材により回転自在に挿入孔の外側を被装する円形の防塵扉が嵌め込まれると共に、防塵扉上に挿入孔と対応する貫通孔が形成され、防塵扉と絶縁カバーとの間にトーションバネが組合わされる。【選択図】　図１
2004127759.tif 000002
【特許請求の範囲】
【請求項１】
内部に導電部材が設けられる絶縁カバーを備え、絶縁カバー上に導電部材と対応する挿入孔及び挿入孔の外側と対応する円形の位置決め溝が形成され、この位置決め溝内に、枢設部材により回転自在に挿入孔の外側を被装する円形の防塵扉が嵌め込まれると共に、防塵扉上に挿入孔と対応する貫通孔が形成され、防塵扉と絶縁カバーとの間にトーションバネが組合わされることを特徴とする防塵ソケット組。
【請求項２】
前記防塵ソケット組は、導電ユニットと、導電ユニットを固定するための固定板と、固定板の外側をカバーする枠体とから成る壁付け型ソケット組であり、挿入孔と防塵扉を嵌め込むための位置決め溝は、枠体上における、導電ユニットと対応する位置に形成されることを特徴とする請求項１に記載の防塵ソケット組。
【請求項３】
前記防塵ソケット組は、枠体を有する絶縁カバーの内部に導電部材が設けられる英国規格ソケット組であることを特徴とする請求項１に記載の防塵ソケット組。
【請求項４】
前記防塵ソケット組は、絶縁カバーの内部に導電部材を有する延長コード付電源タップ型ソケット組であり、その絶縁カバーは第一カバー及び第二カバーとを組合わせて成り、第一カバー上には挿入孔と該挿入孔の外側と対応する円形の位置決め溝が形成され、絶縁カバーから外側へ向って、導電部材と電気接続され末端にプラグを有する延長コードが延出することを特徴とする請求項１に記載の防塵ソケット組。
【請求項５】
前記防塵ソケット組は、絶縁カバーの内部に導電部材を有するスイッチ付ソケット組であり、その絶縁カバーは第一カバー及び第二カバーとが組合わされて成り、第一カバー上には挿入孔と該挿入孔の外側と対応する円形の位置決め溝が形成され、絶縁カバー上に導電部材と電気接続されるプラグが突設されることを特徴とする請求項１に記載の防塵ソケット組。
【請求項６】
防塵扉の内側面に制限凸部が設けられると共に、絶縁カバーにおける挿入孔の側縁に、内部において制限凸部が活動可能である弧状の制限溝が形成されることを特徴とする請求項１、２、３、４又は５に記載の防塵ソケット組。
【請求項７】
絶縁カバーにおける挿入孔の側縁にトーションバネの一端を固定するための固定凸部が設けられ、トーションバネの他端は防塵扉の内側面の制限凸部に掛止されることを特徴とする請求項６に記載の防塵ソケット組。
【発明の詳細な説明】
【０００１】
【発明の属する技術分野】
本発明は、特に使用していないソケットを自動的に封止することにより、挿入孔内への塵埃の侵入を防止する防塵ソケット組に関するものである。
【０００２】
【従来の技術】
電器製品や電子製品は人々の生活において常に使用されているものであり、それらは共に電力により動力を得ている。故に、電源との接続にはソケット組、例えば壁面に設けられるコンセントや延長コードを有する電源タップなどが必要である。
【０００３】
早期のソケット組（例えば、コンセントや電源タップ）は、絶縁カバー内に電源と電器接続される導電部材が設けられると共に、上面にはプラグを挿入するためのソケットが形成され、それにより、電器製品や電子製品に電力を供給している。
【０００４】
また、前記従来のソケット組は電器製品や電子製品のプラグを接続することにより電力の供給を行なうものであるが、そのソケットは露出状態であるため、内部に塵埃が侵入し易い、或いはいたずらにより子供が感電する恐れがある。上記問題に鑑み、その後プラスチック材質製の防塵扉で不使用のソケットを封止することにより、いたずらによる子供の感電を防止でき、且つ防塵効果を有するソケット組が開発された。
【０００５】
【発明が解決しようとする課題】
しかし、前記非一体式の防塵扉はソケット組上における不使用の挿入孔を封止することはできるが、挿入孔を封止するためにはわざわざ使用者自ら取付けを行なう必要があると共に、電器製品などのプラグをソケットに挿入し使用する時も、使用者自ら防塵扉を取外す必要がある。更に、防塵扉は完全にソケット組上から取外されてしまうので、紛失を防ぐために確実に保管しておく必要があり、使用上非常に不便である。
【０００６】
この発明は、上述した事情に鑑み、特に使用していないソケットを自動的に封止することにより、挿入孔内への塵埃の侵入を防止する防塵ソケット組を提供することを目的とする。
【０００７】
【課題を解決するための手段】
本発明は、
内部に導電部材が設けられる絶縁カバーを備え、絶縁カバー上に導電部材と対応する挿入孔及び挿入孔の外側と対応する円形の位置決め溝が形成され、この位置決め溝内に、枢設部材により回転自在に挿入孔の外側を被装する円形の防塵扉が嵌め込まれると共に、防塵扉上に挿入孔と対応する貫通孔が形成され、防塵扉と絶縁カバーとの間にトーションバネが組合わされることを特徴とする防塵ソケット組、を提供する。
【０００８】
【発明の実施の形態】
以下、添付図面を参照して本発明の好適な実施の形態を詳細に説明する。
【０００９】
図１は本発明に係わる壁付け型防塵ソケット組の分解斜視図であり、図２は本発明に係わる英国規格防塵ソケット組の分解斜視図であり、図３は本発明に係わる延長コード付電源タップ型防塵ソケット組の分解斜視図であり、図４は本発明に係わるスイッチ付防塵ソケット組の斜視透視図であり、図５（Ａ）〜（Ｈ）は本発明に係わる防塵ソケット組における差込み口の種類を示す概要図であり、図６は本発明に係わる防塵ソケット組における挿入孔の封止状態を示す使用状態図であり、図７は本発明に係わる防塵ソケット組における防塵扉の回転により挿入孔が露出した状態を示す使用状態図である。
【００１０】
本発明の防塵ソケット組には例えば、壁付け型防塵ソケット組や延長コード付防塵ソケット組、スイッチ付防塵ソケット組などがあり、その内壁付け型防塵ソケット組は導電ユニット、固定板及び枠体から成り、導電ユニットは導電部材の外側に絶縁カバーが被覆されて成り、その内側に電源コードを接続するための接続孔が形成されると共に、外側にプラグを挿入するための挿入孔が形成され、該導電ユニットは固定板上に設置され、その固定板は壁面に予め形成される収容孔に固設され、枠体は固定板の外側に被装される。
【００１１】
図１の実施例に示す本発明のソケット組（１０）は壁付け型ソケット組であり、その構造は枠体（１１）上における、導電ユニット（符号なし）と対応する位置に円形の位置決め溝（１１１）が形成され、その位置決め溝（１１１）の内面に導電ユニットの挿入孔（符号なし）と対応する挿入孔（１１２）が形成されると共に、中央に中孔（１１３）が形成される。更に、該位置決め溝（１１１）内に円形の防塵扉（１２）が嵌め込まれ、防塵扉（１２）の中央に位置決め孔（１２１）が形成され、その位置決め孔（１２１）はネジ（１３）或いはその他の枢設部材により位置決めされ、この時、防塵扉（１２）は位置決め溝（１１１）内において回転可能な状態にある。また、防塵扉（１２）上に挿入孔（１１２）と対応する貫通孔（１２２）が形成されると共に、防塵扉（１２）はトーションバネ（１３）により枠体（１１）に接合される。それにより、挿入孔（１１２）の不使用時にはトーションバネ（１３）の付勢力で防塵扉（１２）を回転させることにより、貫通孔（１２２）と挿入孔（１１２）とを自動的に封止状態にする。
【００１２】
前記防塵扉（１２）の裏面に制限凸部（１２３）が設けられ、枠体における位置決め溝（１１１）の内面に、内部において防塵扉（１２）における制限凸部（１２３）が活動可能である弧状の制限溝（１１４）が形成され、この制限溝（１１４）は制限凸部（１２３）の活動範囲を制限するものである。更に、挿入孔（１１２）の側縁にトーションバネ（１４）の一端を固定するための固定凸部（１１５）が設けられ、トーションバネ（１４）の他端は防塵扉（１２）の内側面の制限凸部（１２３）に掛止され、このトーションバネ（１４）の付勢力により防塵扉（１２）が自動的に復位する。
【００１３】
図２に示すように、本発明の英国規格ソケット組（２０）は導電部材を備える絶縁カバー（２１）を有し、絶縁カバー（２１）の枠体（２２）上に導電部材と対応する挿入孔（２３）が形成され、挿入孔（２３）の外側に円形の位置決め溝（２４）が形成され、位置決め溝（２４）内にネジ（符号なし）により回転可能に円形の防塵扉（２５）が枢設され、その防塵扉（２５）上に挿入孔（２３）と対応する貫通孔（２５１）が形成されると共に、防塵扉（２５）はトーションバネ（２６）との組み合わせにより絶縁カバー（２１）に嵌め込まれる。これにより、挿入孔（２３）を使用していない時は、トーションバネ（２６）の付勢力で防塵扉（２５）を回転させて、貫通孔（２５１）と挿入孔（２３）とを自動的に封止状態にする。
【００１４】
更に、前記防塵扉（２５）の内側面に制限凸部（２５２）が設けられると共に、絶縁カバー（２１）における挿入孔（２３）の側縁に、内部において制限凸部（２５２）が活動可能である弧状の制限溝（２７）が形成され、この制限溝（２７）は制限凸部（２５２）の活動範囲を制限するものである。また、挿入孔（２３）の側縁にトーションバネ（２６）の一端を固定するための固定凸部（２８）が設けられ、トーションバネ（２６）の他端は防塵扉（２５）の内側面の制限凸部（２５２）に掛止され、このトーションバネ（２６）の付勢力により防塵扉（２５）が自動的に復位する。
【００１５】
図３に示すように、本発明の延長コード付電源タップ型ソケット組（３０）は内部に導電部材が設けられる絶縁カバー（３１）を有し、その絶縁カバー（３１）は第一カバー（３１１）及び第二カバー（３１２）とが組合わされて成り、第一カバー（３１１）と第二カバー（３１２）は超音波溶接、ネジ固定、係合方式或いはその他の接合方式により一体に組み合わされると共に、絶縁カバー（３１）から外側へ向って、末端にプラグを有する延長コード（３８）が延出し、その絶縁カバー（３１）上に導電部材と対応する挿入孔（３２）が形成され、挿入孔（３２）の外側に円形の位置決め溝（３３）が形成され、その位置決め溝（３３）内にネジ（符号なし）により回転可能に円形の防塵扉（３４）が嵌め込まれ、防塵扉（３４）上に挿入孔（３２）と対応する貫通孔（３４１）が形成され、この防塵扉（３４）はトーションバネ（３５）との組み合わせにより絶縁カバー（３１）に嵌め込まれる。これにより、挿入孔（３２）を使用していない時は、トーションバネ（３５）の付勢力で防塵扉（３４）を回転させて、貫通孔（３４１）と挿入孔（３２）とを自動的に封止状態にする。
【００１６】
更に、前記防塵扉（３４）の内側面に制限凸部（３４２）が設けられると共に、絶縁カバー（３１）における挿入孔（３２）の側縁に、内部において制限凸部（３４２）が活動可能である弧状の制限溝（３６）が形成され、この制限溝（３６）は制限凸部（３４２）の活動範囲を制限するものである。また、挿入孔（３２）の側縁にトーションバネ（３５）の一端を固定するための固定凸部（３７）が設けられ、トーションバネ（３５）の他端は防塵扉（３４）の内側面の制限凸部（３４２）に掛止され、このトーションバネ（３５）の付勢力により防塵扉（３４）が自動的に復位する。
【００１７】
図４に示すように、本発明のスイッチ付防塵ソケット組（４０）の構成は前述の延長コード付き電源タップ型ソケット組（３０）と殆ど同じであり、絶縁カバー（３１）上に導電部材（符号なし）と電気接続されるプラグ（４２）が突設される点が異なるのみである。また、前記プラグ（４２）は固定式であり、図４に示すように一端が絶縁カバー（４１）上に枢設され、絶縁カバー（４１）の背面にはプラグ（４２）を折畳んで収容するための収容溝（４３）が形成される。
【００１８】
図５（Ａ）〜（Ｈ）に示す格式ソケット組（５０）の挿入孔（５１）はそれぞれ各国の安全規格承認を取得した、Ａタイプ平２ピンプラグ用、Ｓタイプ丸２ピンプラグ用、Ｓタイプアース付丸２ピンプラグ用、Ａタイプアース付平２ピンプラグ用、ＢＳタイプ角２ピンプラグ用、Ｏタイプ平形３ピンプラグ用、Ｃタイプ丸３ピンプラグ用及びＢＳタイプ丸３ピンプラグ用である。
【００１９】
図６に示すように、本発明のソケット組（６０）に電器製品や電子製品のプラグが接続されていない時は、防塵扉（６１）がトーションバネ（６２）の付勢力により押圧されて、貫通孔（６１１）と対応している挿入孔（６３）が封止状態となり、挿入孔（６３）への塵埃の侵入を防止する。また、図７に示すように、ソケット組（６０）に電器製品や電子製品のプラグが接続する時は、直接手により防塵扉（６１）を回転させ、或いはプラグを手で持ちながら防塵扉（６１）における貫通孔（６１１）に差し込み、該防塵扉（６１）を回転させて挿入孔（６３）に挿入し、ソケット組（６０）内の導電部材と電気接続させる。
【００２０】
尚、上述の図１乃至図７に示す防塵ソケット組は単に本発明の一部の形態であり、本明細書に示す主張の範囲内であれば如何なる形態に構成させてもよく、また、容易に想到し得る範囲内であれば、当然本発明の主張範囲に属することは言うまでもない。
【００２１】
【発明の効果】
本発明は上記の課題を解決するものであり、内部に導電部材が設けられる絶縁カバーを備え、絶縁カバー上に導電部材と対応する挿入孔及び挿入孔の外側と対応する円形の位置決め溝が形成され、この位置決め溝内に、枢設部材により回転自在に挿入孔の外側を被装する円形の防塵扉が嵌め込まれると共に、防塵扉上に挿入孔と対応する貫通孔が形成され、防塵扉と絶縁カバーとの間にトーションバネが組合わされることにより、ソケット組にプラグが挿入されていない時は防塵扉がトーションバネにより連動回転して貫通孔がずれることによって、挿入孔が封止されるので、塵埃やゴミなどの侵入を防止することができる。
【００２２】
また、本発明は上記の構成を有するので、次に示すような効果を達成できる。
１．　本発明の防塵ソケット組にプラグを接続しない時は、防塵扉がトーションバネにより押圧されて、挿入孔が自動的に封止状態となるので、挿入孔内への塵埃を防止できると共に、いたずらによる感電を防止できる。
２．　防塵ソケット組にプラグを差し込みたい時は、単に防塵扉を回転させて挿入孔を露出させ、その中にプラグを差し込むだけでよいので、操作が非常に簡単である。
【図面の簡単な説明】
【図１】図１は、本発明に係わる壁付け型防塵ソケット組の分解斜視図である。
【図２】図２は、本発明に係わる英国規格防塵ソケット組の分解斜視図である。
【図３】図３は、本発明に係わる延長コード付電源タップ型防塵ソケット組の分解斜視図である。
【図４】図４は、本発明に係わるスイッチ付防塵ソケット組の斜視透視図である。
【図５】図５（Ａ）〜（Ｈ）は、本発明に係わる防塵ソケット組における差込み口の種類を示す概要図である。
【図６】図６は、本発明に係わる防塵ソケット組における挿入孔の封止状態を示す使用状態図である。
【図７】図７は、本発明に係わる防塵ソケット組における防塵扉の回転により挿入孔が露出した状態を示す使用状態図である。
【符号の説明】
１０　　　　ソケット組
１１　　　　枠体
１１１　　　　位置決め溝
１１２　　　　挿入孔
１１３　　　　中孔
１１４　　　　制限溝
１１５　　　　固定凸部
１２　　　　防塵扉
１２１　　　　位置決め孔
１２２　　　　貫通孔
１２３　　　　制限凸部
１３　　　　ネジ
１４　　　　トーションネジ
２０　　　　ソケット組
２１　　　　絶縁カバー
２２　　　　枠体
２３　　　　挿入孔
２４　　　　位置決め溝
２５　　　　防塵扉
２５１　　　　貫通孔
２５２　　　　制限凸部
２６　　　　トーションネジ
２７　　　　制限溝
２８　　　　固定凸部
３０　　　　ソケット組
３１　　　　絶縁カバー
３１１　　　　第一カバー
３１２　　　　第二カバー
３２　　　　挿入孔
３３　　　　位置決め溝
３４　　　　防塵扉
３４１　　　　貫通孔
３４２　　　　制限凸部
３５　　　　トーションネジ
３６　　　　制限溝
３７　　　　固定凸部
３８　　　　延長コード
４０　　　　ソケット組
４１　　　　絶縁カバー
４２　　　　プラグ
４３　　　　収容溝
５０　　　　ソケット組
５１　　　　挿入孔
６０　　　　ソケット組
６１　　　　防塵扉
６１１　　　　貫通孔
６２　　　　トーションネジ
６３　　　　挿入孔
【図１】
2004127759.tif 000003
【図２】
2004127759.tif 000004
【図３】
2004127759.tif 000005
【図４】
2004127759.tif 000006
【図５】
2004127759.tif 000007
【図６】
2004127759.tif 000008
【図７】
2004127759.tif 000009